(57)【要約】家庭電気器具用ワンド（例えば、真空掃除機）は、互いに内部に入れ子になるように寸法づけられた複数のチューブ（１０、２０、３０、４０）を備える。各チューブ（１０、２０、３０、４０）は、該チューブを別のチューブに対して伸張した位置に固定するための固定機構（１５、２５、３５）と関連している。チューブが後退した時に、１つの固定機構が他の固定機構を解放するために別の固定機構を押圧するように、隣接する固定機構（１５、２５、３５）が自身のそれぞれのチューブに位置づけられる。かくして、使用者は、ワンドを伸ばす時に各固定機構（１５、２５、３５）を別個に操作する必要はない。また、チューブは互いに対して伸張した位置に自動的にそれら自体を固定する。最も幅広なチューブ（１０′）のフック（５５０）はこれらのチューブを格納位置に保持するために最も幅狭なチューブ（４０′）上のカラー（６１０）と協働する。
2004524097.tif 000002
【特許請求の範囲】
【請求項１】
家庭電気器具用ワンドであって、
互いに内部で入れ子になるように寸法づけられた複数のチューブを備え、各チューブは、自身を別のチューブに対する伸張位置に固定するための固定機構と関連しており、前記チューブが後退した時に１つの固定機構が他の固定機構を解放するように前記固定機構が配置されている家庭電気器具用ワンド。
【請求項２】
各固定機構は、該固定機構が前記チューブを別のチューブに錠止する錠止位置と、該固定機構が前記チューブ間の運動を可能にする解錠位置との間で可動であり、前記チューブが後退した時に１つの固定機構が他の固定機構を解錠するために該他の固定機構を押圧するように、隣接する固定機構が自身のそれぞれのチューブに位置づけられている、請求項１に記載のワンド。
【請求項３】
使用に際して、互いに押圧し合う前記固定機構の表面が前記ワンドの長手方向軸線に対して傾いており、これにより前記固定機構の運動を行うようになっている、請求項２に記載のワンド。
【請求項４】
前記固定機構が、前記錠止位置において、前記別のチューブの外面の窪みに位置するように配置される、請求項２または請求項３に記載のワンド。
【請求項５】
前記固定機構が突出部を備え、前記突出部及び前記チューブが、前記錠止位置において、前記別のチューブ上のカラーを保持するように配置される空洞を画成する、請求項２、請求項３または請求項４に記載のワンド。
【請求項６】
前記突出部が前記チューブと並んで位置するアームによって担持され、前記アームが他の固定機構を押圧することによって可動である、請求項４または請求項５に記載のワンド。
【請求項７】
前記アームが前記チューブの周りに回動自在に取り付けられ、前記突出部が半径方向に可動である、請求項６に記載のワンド。
【請求項８】
使用に際して、互いに押圧し合う前記固定機構の表面が前記ワンドの長手方向軸線に対して傾いており、これにより前記アームの半径方向運動を行うようになっている、請求項７に記載のワンド。
【請求項９】
前記チューブの周りで周方向に離隔された複数のアームがある、請求項４から請求項８までのいずれか１項に記載のワンド。
【請求項１０】
少なくとも３つのアームがある、請求項９に記載のワンド。
【請求項１１】
前記アームが前記チューブの周りに嵌合する支持カラーによって支持される、請求項６から請求項１０までのいずれか１項に記載のワンド。
【請求項１２】
前記アーム及び前記支持カラーが、弾発的に曲げ易い材料から互いに一体的に形成される、請求項１１に記載のワンド。
【請求項１３】
前記チューブが互いに対して該チューブの回転を阻止する手段を備える、請求項１から請求項１２までのいずれか１項に記載のワンド。
【請求項１４】
前記回転阻止手段が、前記チューブに沿う軸線方向に延在する隆起部と、前記固定機構に沿う軸線方向に延在するチャネルと、を備える請求項１３に記載のワンド。
【請求項１５】
各チューブが他のチューブを密封するシールを担持する、請求項１から請求項１４までのいずれか１項に記載のワンド。
【請求項１６】
前記シールが、前記チューブの一端内に設置される、請求項１５に記載のワンド。
【請求項１７】
前記シールが、別のチューブの幅狭な端部を密封する、請求項１５または請求項１６に記載のワンド。
【請求項１８】
前記固定機構の１つが手動操作可能である、請求項１から請求項１７までのいずれか１項に記載のワンド。
【請求項１９】
手動操作可能な前記固定機構が最も幅広な前記チューブの一部を形成する、請求項１８に記載のワンド。
【請求項２０】
最も幅広な前記チューブが前記ワンドを操作するハンドルを備え、かつ手動操作可能な前記固定機構が前記ハンドル上または該ハンドルに隣接して設置される、請求項１９に記載のワンド。
【請求項２１】
前記固定機構の１つが前記ワンドを異なる伸張位置範囲に固定することができる、請求項１から請求項２０までのいずれか１項に記載のワンド。
【請求項２２】
前記チューブの１つが、該チューブに沿った軸線方向に延在する隆起部を備え、前記隆起部が自身の長さに沿う複数の凹みを備え、前記固定機構が前記凹みの選択された１つに着座させるためのラグを備える、請求項２１に記載のワンド。
【請求項２３】
前記チューブのうちの最も幅広なチューブが、最も幅広な該チューブ内の格納位置に前記複数のチューブを保持する手段を備える、請求項１から請求項２２までのいずれか１項に記載のワンド。
【請求項２４】
前記チューブのうちの最も幅狭なチューブがカラーを備え、かつ前記チューブのうちの最も幅広なチューブが、前記チューブが格納される時に最も幅狭な前記チューブ上に前記カラーを保持するフックを備える、請求項２３に記載のワンド。
【請求項２５】
前記保持手段が、前記チューブが前記格納位置に向けて動かされる時に自動的に作動される、請求項２３または請求項２４に記載のワンド。
【請求項２６】
最も幅狭な前記チューブの遠位端が、前記チューブが完全に後退した時に前記固定機構の少なくとも幾つかを収容する手段を備える、請求項１から請求項２５までのいずれか１項に記載のワンド。
【請求項２７】
前記固定機構は、前記チューブが伸張された時に互いに対する伸張位置に該チューブを自動的に固定するようにも配置される、請求項１から請求項２６までのいずれか１項に記載のワンド
【請求項２８】
各固定機構は、錠止位置内に可動な突出部を備え、この錠止位置では前記突出部は別のチューブの外面の窪みに位置する、請求項２７に記載のワンド。
【請求項２９】
各固定機構は突出部を備え、前記別のチューブは自身の端部に隣接して直径が増すカラーを備え、前記チューブ及び前記固定機構は前記別のチューブのカラーを受容するための空洞を画成し、前記突出部は、前記チューブが互いに対する伸張位置内に動いた時に前記カラーによって一時的に変位可能であり、これにより前記空洞内に前記カラーを収容かつ保持するようになっている、請求項２７または請求項２８に記載のワンド。
【請求項３０】
前記固定機構又は前記チューブが、該チューブが伸張位置にもたらされた時に前記固定機構を一時的に動かすことができる傾斜面を備える、請求項２７から請求項２９までのいずれか１項に記載のワンド。
【請求項３１】
前記固定機構が前記チューブの外壁に設置される、請求項１から請求項３０までのいずれか１項に記載のワンド。
【請求項３２】
家庭電気器具用ワンドであって、互いに内部で入れ子になるように寸法づけられた複数のチューブであって、各チューブは、自身を別のチューブに対して伸張位置に固定するための固定機構と関連しており、前記固定機構が、前記チューブが伸張された時に互いに対して伸張位置にある前記チューブを自動的に固定するように配置される、複数のチューブを備える家庭電気器具用ワンド。
【請求項３３】
前記固定機構が、前記錠止位置において、前記別のチューブの外面の窪みに位置するように配置される、請求項２または請求項３に記載のワンド。
【請求項３４】
各固定機構は突出部を備え、前記別のチューブは自身の端部に隣接して直径が増すカラーを備え、前記チューブ及び前記固定機構は前記別のチューブのカラーを受容するための空洞を画成し、前記突出部は、前記チューブが互いに対する伸張位置内に動いた時に前記カラーによって一時的に変位可能であり、これにより前記空洞内に前記カラーを収容かつ保持するようになっている、請求項３２または請求項３３に記載のワンド。
【請求項３５】
前記固定機構又は前記チューブが、該チューブが伸張位置にもたらされた時に前記固定機構を一時的に動かすことができる傾斜面を備える、請求項３２から請求項３４までのいずれか１項に記載のワンド。
【請求項３６】
家庭電気器具用ワンドであって、互いに内部で入れ子になるように寸法づけられた複数のチューブであって、前記チューブのうちの最も幅広なチューブが、最狭な該チューブと協働する保持手段を備え、これにより最も幅広な前記チューブ内の格納位置に前記複数のチューブを保持するようになっている、複煤のチューブを備える、家庭電気器具用ワンド。
【請求項３７】
前記チューブのうちの最も幅狭なチューブがカラーを備え、かつ前記チューブのうちの最も幅広なチューブが、前記チューブが格納される時に最も幅狭な前記チューブ上に前記カラーを保持するフックを備える、請求項３６に記載のワンド。
【請求項３８】
前記保持手段が、前記チューブが前記格納位置に向けて動かされる時に自動的に作動される、請求項３６または請求項３７に記載のワンド。
【請求項３９】
各チューブは、自身を別のチューブに対して伸張位置に固定するための固定機構と関連しており、最も幅狭な前記チューブの遠位端が、前記チューブが完全に後退した時に前記固定機構の少なくとも幾つかを収容する手段を備える、請求項３６から請求項３８までのいずれか１項に記載のワンド。
【請求項４０】
前記収容手段が、前記固定機構を収容するための空洞を画成する長手方向に延在する壁を具備するキャップを備える、請求項３９に記載のワンド。
【請求項４１】
真空掃除機用清掃ワンドの形態をした、請求項１から請求項４０までのいずれか１項に記載のワンド。
【請求項４２】
請求項１から請求項４１までのいずれか１項に記載のワンドを組み込んだ家庭電気器具。
【請求項４３】
添付図面を参照して実質的に記載した家庭電気器具のためのワンド。
【発明の詳細な説明】
【技術分野】
【０００１】
本発明は、家庭電気器具用入れ子式ワンド組立体に関する。ワンド組立体は、特に、しかし排他的ではなく、真空掃除機用として有用である。
【背景技術】
【０００２】
シリンダ式真空掃除機は、一般に、使用者によって引っ張られる主掃除機本体を備える。主本体は、空気流から塵及び埃を分離するための分離装置を含む。空気流は、ホースと、使用者によって操作されるワンド組立体とによって主本体に導かれる。清掃道具は、通常、ワンドの遠位端に取り付けられる。ホース及びワンド組立体は、掃除機及び堅固なワンドの主本体に取り付けられる可撓性ホースの長さを備える。ワンドは典型的には互いに入れ子式に連結される２つのチューブを備える。チューブのうちの１つはハンドルに堅固に連結され、他のチューブがこのチューブ内に入れ子になっている。錠止装置又はラチェット機構の幾つかには、２つのチューブを互いに対して特定位置に固定するために設けられる。このように、ワンドの全長は、使用者の物理的寸法（背の高さ又は腕の長さ）に適するように構成される。このタイプのワンドの実例は従来技術文献に示されている（例えば、特許文献１参照）。
【特許文献１】
米国特許第３、０８３、０４１号明細書
【発明の開示】
【発明が解決しようとする課題】
【０００３】
真空掃除機をより都合よく格納し得るように、この真空掃除機をよりコンパクトに作る傾向がある。コンパクトな掃除機本体を具備する多くの掃除機の実例があるが、これらの掃除機のほとんどは、掃除機が不要な期間の間に格納することが難しい、嵩張った２段式ワンドを依然として備えている。包装の観点から、ワンドの寸法は、しばしば、製品を出荷するに要する箱の最小寸法を規定する。
【０００４】
ワンドに３つの段を設けることが知られている。より多くの段を設けることによって、ワンドが完全に折り畳まれた時のワンドの全長は２段式ワンドを具備するものより、より短くなる。しかしながら、ワンドに３以上の段を設けることは、使用者に対するワンドの複雑さを増す。特に、使用に際してワンドを伸張しかつ格納に際してワンドを後退させるのはより時間を浪費しかつ当惑させるものとなり得る。
【０００５】
本発明は、操作するのにより好都合な入れ子式ワンド組立体を提供することを目的としている。
【課題を解決するための手段】
【０００６】
従って、本発明の第１実施態様は、家庭電気器具用ワンドであって、互いに内部で入れ子になるように寸法づけられた複数のチューブであって、各チューブが、自身を別のチューブに対して伸張位置に固定するための固定機構と関連しており、前記チューブが後退した時に１つの固定機構が別の固定機構を解放するように前記固定機構が配置されている、複数のチューブを備える家庭電気器具用ワンドを提供する。
【０００７】
互いに作動する固定機構を設けることによって、使用者は、ワンドを折り畳むために各個別の固定機構を別個に操作する必要はない。このように、そのようなワンドが通常は使用者に与えるであろう更なる複雑さが無く、全長が短いワンドを後退可能にする、かなり多数の段をワンドに設け得る。
【０００８】
好ましくは、各固定機構は、自身がチューブを別のチューブに錠止する錠止位置と、自身がチューブ間での運動を可能にする解錠位置との間で移動可能である。チューブが後退した時に一方の固定機構が他方の固定機構を押圧して、該他方の固定機構を解錠させるように、隣接する固定機構は、自身のそれぞれのチューブ上に位置づけられる。かくして、コスト及び複雑性に関して不都合な水準となるであろう、固定機構を互いにリンクする必要はない。むしろ、固定機構は、互いに機械的に単純であり従って信頼し得る態様で互いに動作する。
【０００９】
好ましくは、固定機構は、錠止すべきチューブの外面の窪みに位置する突出部を備える。この窪みは、チューブを形削りすることによって、又は内側チューブの壁に開口を形成することによって形成し得る。この突出部は、チューブに並んで位置するアームによって担持し得る。
【００１０】
好ましくは、これらのアームは、チューブの周りに回動自在に取り付けられる。これは、突出部を半径方向に移動させる。アームの回動取付はアームを弾発的に曲げ易い材料（例えば、ナイロン）から作ることによって、あるいはチューブの周りを回動し得る分離部分として各アームを設けることによって達成し得る。
【００１１】
好ましくは、使用に際して、互いに押圧し合う固定機構の表面はワンドの長手方向軸線に対して傾いており、これにより、固定機構の運動を行うようになっている。
【００１２】
ワンドの固定機構は、ワンドが、使用者がチューブを固定するのに各固定機構を別々に操作する必要のない伸張位置にもたらされる時に該伸張位置にワンドのチューブを自動的に固定すべきことも望まれる。
【００１３】
これはチューブの端部に隣接して直径が増すカラーを設けることによって達成し得る。固定機構上の突出部は、使用に際して、カラーによって一時的に移動可能になっている。これにより固定機構及びチューブによって画成される空洞内にカラーを収容かつ保持するようになっている。あるいは、突出部は、チューブが伸張位置にもたらされる時に内側チューブの窪みにそれ自体単に着座し得る。この窪みは、チューブを形削りするか又は内側チューブの壁に開口を形成することによって形成し得る。
【００１４】
好ましくは、ワンドは互いに対するチューブの回転を阻止する手段を組み込んでいる。このように、使用に際して、使用者は、ワンドの遠位端にある道具の位置を制御することができる。これは、チューブに沿って軸線方向に延在する隆起部と、固定機構に沿って軸線方向に延在するチャネルとを設けることによって達成し得る。
【００１５】
好ましくは、固定機構の１つは、手動で操作可能である。手動操作制御装置は、チューブのうちの最も幅広なチューブ、すなわち、ワンドが完全に後退した時に他のチューブの全てを収容するチューブに設け得る。都合よくは、制御装置は、ワンドを主動操作するためのハンドルに、又は、該ハンドルに隣接して設置し得る。
【００１６】
好ましくは、チューブのうちの１つは、このチューブの別のチューブに対する複数の別様の錠止位置を備える。これは、使用者がこれら自体の物理的要求事項を調節することを可能にする。
【００１７】
好ましくは、チューブのうちの最も幅広なチューブは、最も幅広なチューブ内の格納位置に複数のチューブを保持するための手段を備える。これは、チューブが格納される時に最も幅狭なチューブ上のカラーを保持するためのフックの形態を取り得る。フックは、チューブが格納位置に向けて動く時に自動的に作動し得る。
【００１８】
好ましくは、最も幅狭なチューブの遠位端は、チューブが完全に後退した時に固定手段の少なくとも幾つかを収容する手段を備える。これは、固定機構を収容するキャップの形態を取り得る。
【００１９】
本発明の更なる態様は、家庭電気器具用ワンドであって、互いに内部で入れ子になるように寸法づけられた複数のチューブを備え、各チューブが、自身を別のチューブに対して伸張位置に固定するための固定機構と関連しており、各固定機構が、前記チューブが伸張した時に、チューブを伸張位置に自動的に固定するように前記固定機構が配置されている。かくして、使用者はチューブを伸張位置に固定するために個々に各固定機構を操作する必要はない。
【００２０】
本発明の更なる態様は、家庭用電気器具ワンドであって、互いに内部で入れ子になるように寸法づけられた複数のチューブ、及びチューブのうちの最も幅広なチューブがチューブのうちの最も幅狭なチューブと協働する保持手段を備える。これにより複数のチューブを最も幅広なチューブ内の格納位置に保持するようになっている。通常は、２つのチューブ式ワンドの錠止装置は、２つのチューブを互いに対する何れの位置にも錠止可能にする。複数のチューブを格納位置に保持する最も幅広なチューブに保持手段を設けることは、単純な固定機構、すなわち、チューブが完全に伸張した時にチューブを錠止する必要があるのみの固定機構をチューブの各々に使用可能にする。保持手段は、格納位置にある全てのチューブを保持する機能を助長する。
【００２１】
好ましくは、チュ−ブのうちの最も幅狭なチューブはカラーを備え、かつチューブのうちの最も幅広なチューブは、チューブが格納される時に最も幅狭なチューブ上にカラーを保持するためのフックを具備する錠止機構を備える。
【００２２】
好ましくは、保持手段は、使用者が保持手段を操作する必要がないように、チューブが格納位置に向けて動く時に自動的に作動する。
【００２３】
好ましくは、各チューブはチューブを別のチューブに対して伸張位置に固定するための固定装置と関連し、最も幅狭なチューブの遠位端は、チューブが完全に後退する時に固定機構の少なくとも幾つかを収容するための手段を備える。これは、格納の間に固定手段が損傷しないように保護する。固定手段は、固定機構を収容するための空洞を画成する長手方向に延在する壁を具備するキャップを備え得る。
【００２４】
本発明のこれらの更なる態様は本発明の他の態様の記載／特許請求の範囲の特徴的構成の何れかと組合わせ得ることが理解される。
【００２５】
これらの装置はシリンダー又はキャニスタータイプの掃除機に対して特に有用である。しかしながら、これらは、カーペットクリーニング機械のような、概して真空掃除機の他のタイプ又は他の家庭電気器具に使用し得る。
【発明を実施するための最良の形態】
【００２６】
本発明の実施形態を添付図面を参照して説明する。
【００２７】
ワンドは、３つの別個のチューブ２０、３０、４０を備える。これらのチューブは、内部で互いに入れ子になるように直径が漸次減少する。３つのチューブは、格納チューブ１０に後退可能に収容される。ハンドル１２は、使用者がワンドを操作可能にすべく格納チューブ１０に接続される。可撓性ホース１８は、格納チューブ１０の部分１６から延在しかつ回転式継手１７によってチューブに連結される。
【００２８】
チューブ２０、３０、４０は内部で互いに摺動自在であり、かつ（図３及び図４に示すような）格納位置と、（図１及び図２に示すような）伸張位置との間で動き得る。チューブの端部のみが別のチューブに重なるように、１つのチューブが別のチューブから伸張される。図４は、格納チューブ１０内の完全に後退した位置にあるチューブを示す図３の線Ａ−Ａに沿った横断面図である。チューブ２０、３０、４０は、直径が漸次狭まり、長さが漸次長くなる。各チューブの長さは、固定機構２５、３５が互いに並んで置かれている時に、該各チューブが格納チューブ１０の有効長を十分に占有するように選択される。
【００２９】
チューブ４０の遠位端は何れかの周知の態様で、床道具（図示せず）を受容するように構成される。例えば、床ツールは、締まり嵌め、相互連結差込み嵌合、スナップ嵌合連結、ねじ山カラー及びスリーブによって、あるいは何れか他の適切な手段によって、チューブ４０に連結し得る。アクセサリーツールも床道具の代わりにチューブ４０に取り付け得る。
【００３０】
固定機構１５、２５、３５は、チューブが伸張位置にある時に必要とされる、該チューブを互いに錠止するか、あるいは、チューブが後退した時に必要とされる、該チューブの互いに対する自由運動を可能にすることができる。チューブ２０を格納チューブ１０に固定するために、固定機構１５が格納チューブ１０に設けられる。チューブ２０をチューブ３０に固定するために別の固定機構２５が該チューブ２０の遠位端に設けられる。チューブ３０をチューブ４０に固定するために更なる固定機構３５が該チューブ３０の遠位端に設けられる。
【００３１】
図５は、チューブ２０上の固定機構２５をより詳細に示し、図６は、固定機構２５及びチューブ２０の端部の別の視図を示す。チューブ３０上の固定機構３５は同じ態様で働く。固定機構２５は、チューブ２０の外部周りに嵌合するリングを備える。リング２５０の第１環状部分２５１は、チューブ２０の端部から前向きに突出し、かつチューブ２０自体の直径より狭い直径を有する開口を形成する。これは、リングがチューブ２０上の定位置に留まることを可能にする。環状部分２５１の開口の直径は、チューブ２０の直径より狭いが、チューブ３０を受容するには十分な幅である。第１環状部分２５１は傾斜した前部面２５２を備える。第１環状部分２５１の軸線方向後部には、第２環状部分がある。第２環状部分は、第１環状部分２５１に連結され、かつ該第１環状部分から後向きに軸線方向に延在する複数のアーム（図６では全体的に２５９として示されている）を備える。各アーム２５９間には、チューブ２０の外面に沿って嵌合する円弧形状部分２５８がある。円弧形状部分２５８も、第１環状部分２５１に連結されかつアームより短い距離に対して軸線方向に後向きに延在する。円弧形状部分２５８及びアーム２５９は、狭いギャップ２５７によって周方向に分離される。好ましい最小数であることが判明している、３つのアーム２５９が示されているが、他の数のアーム２５９も設け得る。アーム２５９の各々は、チューブ２０の壁にある開口２６３内に位置する半径方向内向きに延在する突出部２５４を備える。チューブが図示するような錠止位置にあると、突出部２５４はチューブ２０、３０を一緒に錠止するように、チューブ３０上の窪み３１４にも位置する。アーム２５９は、傾斜した面２５６を具備する半径方向外向きに延在する部分２５５を備える。突出部２５５は、環状部分２５１周りで回動自在であり、固定機構は、これが外向きに屈曲しかつ破断せずに図示した位置へ戻ることを可能にするには十分に弾発的である材料から作られる。チューブ２０、３０を解放するために、アーム２５９は環状部分２５１周りで回動して、半径方向外向きに屈曲する。これは、突出部２５４がチューブの窪みの半径方向外側及びカラー３１０の外側に置かれるように、十分半径方向外向きにアーム２５９を担持する。万一これが必要ならば、各アーム２５９の内面２６６はアームがユーザーによって容易に把持されることを可能にする凹面プロファイルを備える。固定機構２５は、更に１組の突出部２６５も備える。これらは、チューブ２０上の対応する開口２６４に位置する形状構成(features)を保持している。チューブ３０の端部はカラー３１０を備えて成り、このカラーは自身の左までのチューブ３０の残部に比較して大きな直径を有する。カラー３１０は、自身が環状部分２５１と突出部２５４の間で捕捉されると、チューブ２０内にチューブ３０を保持する働きをする。環状部分３１４はカラー３１０より狭い直径を備えており、固定機構の突出部２５４を受容するために窪みを形成する。カラー３１０は、図５に示すように、チューブ３０を形削りすることによって、チューブの厚さを増加させることによって、あるいはカラーが必要とされる場所におけるチューブの回りの付加的なリング材料を固定��ることによって、形成し得る。チューブ３０の最後部の環状部分３１２は、カラー３１０と同じ直径を有するものとして示されている。部分３１２は、チューブ２０の隣接壁を押圧しかつチューブを安定化するように働き、及び部分３１２はシール２６０をチューブ２０の内壁に支持可能にもするから、これは好ましい。しかしながら、環状部分３１２はチューブ３０の残部と同じ直径を有し得る。
【００３２】
別のチューブを密封するために、各チューブにはシール２６０が設けられる。シール２６０は、チューブ３０の一端に設置されかつチューブの内面に固定される。シール２６０は、適所に接合又は留めることができる。
【００３３】
シール２６０は、このシールがより大きなチューブ２０の内面に密封することができるように、チューブの端部を越えて軸線方向及び半径方向に延在する。チューブ２０の軸線方向のいちばん端の部分は、シール２６０がチューブ２０の内面に上手く嵌合することができるように、チューブの残部より狭い直径を有する。狭い端部直径への直径遷移は、チューブの部分２２０として示されている。
【００３４】
図７〜図９は、格納チューブ１０の固定機構をより詳細に示す。簡易化のために、解放キャッチ１５及びチューブ２０（キャッチ１５が作用するチューブ）のみを示す。解放キャッチ１５は、格納チューブ１０のハウジング外に延在しかつキャッチを解放するために手動で操作し得る部分１５１を具備するリング形状部材１５５を備える。解放キャッチ１５は、該キャッチがチューブ１０の長手方向軸線に直角な平面内で動き得るように、チューブ１０（図示せず）によって支持される。キャッチの作動部分はリング状部材１５５から半径方向内向きに延在する突出部１５２である。図９に示すように、チューブ２０が格納チューブ１０から完全に引き抜かれると、突出部１５２はチューブ２０の外面のチャネル１５６に位置し、かつチューブをこの位置に錠止する働きをする。突出部１５２の切込み１５４は隆起部２２を収容しかつチューブが互いに対して捩れないように阻止する働きをする。格納チューブ１０の最前部は傾斜面１０２を備え、かつチューブ１０、及びチューブ２０のカラー１１０の両方よりも狭い直径を備える。かくして、チューブ２０はカラー１１０を越えずに格納チューブ１０から引き抜くことができない。傾斜面１０２は、以下により詳細に説明するように、チューブが潰れた時に固定機構２５を解錠する働きをする。シール２１０は、チューブ１０を収容するためにチューブ２０を密封する。
【００３５】
好ましくは、チューブは互いに対して捩じるべきではない。軸線方向に延在する隆起部２２が各チューブ２０、３０、４０の外面に沿って設けられる。各固定機構は、隆起部を収容し得るチャネル（２６７、図６）を備える。使用に際して、チューブが互いに摺動するがチャネル２６７が何れの回転運動をも阻止するとき、隆起部２２はチャネル２６７内で摺動する。隆起部２２はチューブに沿う押出し品として形成し得る。
【００３６】
肉体的な寸法（背の高さ、腕の長さ）が異なる使用者が快適にワンドを使用し得るように、異なる全長長さに亘る範囲でワンドを錠止し得ることが好ましい。この要求を満たすために、最上部のチューブ２０には、図１１に示すような、１連の錠止位置２３０が設けられている。都合よくは、これらの錠止位置は、チューブ２０の長さに沿って延びる隆起部２２の切込み２３０として設けられる。この実施形態に対して、解放キャッチ１５は、図１０に示すような切込み１５４を備えていない。むしろ、突出部１５２は、これらの錠止位置切込み２３０の１つに位置するように連続している。
【００３７】
これらのチューブは、スチール又はアルミニウムのような金属、あるい硬いプラスチック材料でさえからも作り得る。これらのチューブは一定厚さの材料から作ることが好ましく、隆起部及びチャネルはこれらのチューブを形削りすることによって形成される。これは、最終製品の重量を最小化する利点を有する。
【００３８】
上述した実施形態では、固定機構はナイロン複合物のような弾発的な可撓性材料から作られる。しかしながら、アームの等価な回動運動は、各アームを別個の部分として製造しかつ各アームと、固定機構の残部との間にピボットを設けることによって達成し得る。アームの弾発性は、アームとチューブ、あるいはアームと固定機構の固定部分との間にばねを取り付けることによって達成し得る。
【００３９】
上述した実施形態はチューブから分離した部分として固定機構２５、３５を示すが、固定機構はチューブと一体に製造し得る。プラスチック固定機構は、金属製チューブの周りにモールド成形し得る（あるいは別様に形成し得る）。あるいは、プラスチック製固定機構は、プラスチックチューブとモールド成形し得る（あるいは別様に形成し得る）。
【００４０】
ここで、ワンドの動作を説明する。ワンドを伸張するために、使用者はハンドル１２によって格納チューブ１０を保持しかつ最も狭いチューブ４０を格納チューブ１０から離して軸線方向に引っ張る。チューブ２０、３０、４０の各々は、チューブ１０から外向きに摺動する。チューブが格納チューブ１０から摺動して出る程度は、チューブ間に存在する摩擦によって決定されるから重要ではない。各チューブが別のチューブに対して伸張位置に到達する時、例えば、チューブ３０が図５に示すチューブ２０に関する位置に向けて摺動する時、チューブは自動的にこの位置に錠止する。図５を参照すると、固定機構２５の突出部２５４は、傾斜面２５６がチューブ３０のカラー３１０上に載るように半径方向外向きに押し込まれる。突出部２５４は、最終的に、それ自体、チューブ３０の窪み３１４に再着座する。チューブ３０は、固定機構の環状部分２５１によって更に外向きに摺動することが阻止される。チューブ３０のカラー３１０は、ここで、環状部分２５１及び突出部２５４の垂直面間にしっかりと保持されるので、長手方向の何れにも動くことができない。かくして、チューブ３０は、ここで、チューブ２０に対して錠止される。シール２６０は、チューブ２０の内向きにテーパが付された部分２２０を密封する。チューブ４０は類似の態様でチューブ３０に対して錠止する。一旦、チューブが全て錠止し合うと、ワンドは使う準備が整っている。チューブの各々は、使用者が各チューブに固定機構を別個に作動させる必要無く自動的な態様にて伸張位置で噛み合うことが理解される。
【００４１】
ワンドを折り畳む手順をここに説明する。使用者は、最初に、格納チューブ１０のキャッチ１５を解放する。これは、キャッチをチューブ２０から解放する。使用者はチューブ４０の遠位端をチューブ１０に向けて軸線方向に押圧する。これは、チューブ２０を格納チューブ１０内で摺動させる。一旦、チューブ２０が格納チューブ１０内に完全に後退すると、固定機構２５は（図４に示すように）格納チューブ１０の先端１０２を押し込み、かつ固定機構２５のアームを半径方向外向きに曲げさせ、かくして、チューブ２０からチューブ３０を解錠する。チューブ３０は、この時、固定機構３５が固定機構２５を押圧するまで格納チューブ内に後退する。上述したように、これは、チューブ４０をチューブ３０から解錠するために固定機構のアームを半径方向外向きに曲げさせる。使用者がチューブ４０を押し続けると、チューブ４０は格納チューブ１０内に後退し、かくして、ワンドは完全に後退する。完全なワンドの後退は、使用者が各固定機構２５、３５を別個に操作する必要無く、１つの連続した素早い動きを行うことができる。
【００４２】
図１２及び図１３は、図５及び図６に示す実施形態と類似の図を使ってワンドの別の実施形態を示す。上述したように、チューブ２０′及び３０′はワンドの２つの隣接する段を表す。この実施形態における主な差異は、図５のチューブ３０のカラー３１０が傾斜面４７０で置き変えられてることと、図５の突出部２５４が、自身の側部上の傾斜面というよりもむしろ両側部上で真っ直ぐに半径方向に延在する面を具備する突出部４５４によって置き換えられていることである。この別様の装置は、チューブ３０′が錠止位置に向けて伸張される時、突出部４５４が半径方向外向きに動くという点で、上述の実施形態と同じ機能を達成する。ここで、突出部４５４と協働するチューブ３０′の傾斜面４７０によって動きがなされる。図１８及び図１９は、２つの実施形態をより詳細に比較している。
【００４３】
図１２に示す実施形態には幾つかの他の差異がある。チューブ３０′は、チューブの外面に、形作られた窪みというよりはむしろ該チューブに型押しされた開口４１４を備える。これは、製造するのが単純であることが分かっている。チューブ３０′がここで自身の外壁に開口を有するという事実を補償するために、シール４６０が長手方向でチューブ３０′内に更に延在する。シール４６０の最も内側の部分はチューブ３０′の傾斜面４７０の内壁の両方に当接し、シール４６０の最も外側の部分４６２はチューブ２０′の内壁に当接する。使用に際して、突出部４５４は、チューブが錠止される時には、それ自体で開口４１４に着座する。何れかの長手方向のチューブ３０′の動きは、突出部４５４の半径方向面によって阻止される。この装置構成は、前述した装置構成と比較して、チューブが錠止される時により確実であることを使用者に示すことが分かっている。
【００４４】
図１４及び図１５は、この実施形態では１０′として示される格納チューブ１０のための別の錠止機構５００を示す。図１４は、格納チューブ１０′に対する伸張かつ錠止位置にある最も幅の広いチューブ２０′を示す。錠止機構５００は、アクチュエータ部材５１０及び錠止レバー５６０を備える。アクチュエータ部材５１０は、ピボット５２０の周りで格納チューブ１０′に回動自在に取り付けられる。錠止レバー５６０は、ピボット５４０の周りで格納チューブ１０′の別の部分に回動自在に取り付けられる。アクチュエータ部材５１０は、錠止レバー５６０の傾斜面５３５を押圧するリブ５１５を担持する。使用に際して、５８０で示す方向へのアクチュエータ部材５１０の動きは、錠止レバー５６０を５８５で示す方向に上昇又は下降させつつ、リブ５１５を傾斜面５３５に沿って載るようにさせる。錠止レバー５６０の突出部５３０は、チューブ２０′の位置を錠止するために該チューブ２０′の壁の窪み５９０に着座する。アクチュエータ部材５１０を作動させると、突出部５３０を自身の着座位置から上昇可能にし、かくしてチューブ２０′を後退可能にする。錠止レバー５３０は、チューブ４０′の遠位端にあるキャップ６００上にカラー６１０を保持し得るフック５５０も担持する。全てのチューブが格納チューブ１０′内に後退する時、キャップ６００は格納チューブ１０′の端部に並んで位置し、かつフック５５０はカラー６１０上に留め得る。アクチュエータ５１０が作動してフック５５０を解放するまで、全てのチューブ２０′、３０′、４０′は格納チューブ１０′内にしっかりと保持される。フック５５０の先端は、チューブが格納チューブ１０′内部に後退される時にカラー６１０によって移動し得る傾斜面５５１を備える。これは、チューブが（図１８に示す）収納位置に向けて動く時に、フック５５０が自動的にカラー５１０上に載り、こうしてキャップ６００を保持することを可能にする。カラー６１０は、分離取付具６００の一部としてよりはむしろチューブ４０′の一部として設け得ることが分かる。格納位置では、キャップ６００は他の段の固定機構の全てを収容し、かくして格納の間にこれらのチューブを保護する働きをする。
【００４５】
ここに記載した錠止装置は、チューブ２０′が種々の伸張位置で錠止されることを可能とするように、図１１に正に示す装置と同じ態様で働き得る。最上部のチューブ２０′には、図１４に５９０として示すタイプの１組の錠止窪みが設けられる。これらの錠止位置は、チューブ２０′の長さに沿って延びる隆起部５９５内の更なる切込み５９０として設け得る。
【００４６】
図２１は、チューブ用固定機構のための更なる別の実施形態を示す。ここでは、前述の実施形態のアーム２５９、４５９が、半径方向に移動可能な錠止部分７００によって置き換えられている。錠止部分７００は、チューブ２０′の周りに嵌合するリング７４０の後向きに延在するリブ７４５によって保持される。ばね７５０は、リブ７４５と錠止部分７００との間で作用しかつチューブ３０′に向けて錠止部分７００を偏倚させる働きをする。この実施形態は前述した実施形態と同じ態様で働き、使用者による手動操作が無くても錠止位置及び解錠位置の両方を自動的に推定する。使用に際して、１つの錠止機構上のカラー７４０の傾斜した先端７４１は、チューブを自動的に解錠するように隣接する錠止機構の傾斜面を押圧する。錠止部分７００は四角い突出部７２０を具備して示されているが、この錠止部分は図１９に示すタイプの傾斜面を備え得る。
【００４７】
図面に示したワンドは、格納チューブに加えて、３つの別個なチューブ又は段を備えるが、このワンドは２段のみ又は３段以上の多数の段を備え得ることが分かる。各付加段は、図示した実施形態の２５、３５として示される固定機構と同じタイプの固定機構を備える。ハンドルは収納チューブの一部として示してきたが、ハンドルは、図１に示す部分１６に代わって、収納チューブの遠位端の内側に嵌合するエルボ形状のパイプとし得る。
【図面の簡単な説明】
【００４８】
【図１】本発明による伸張状態のワンドを示す図である。
【図２】本発明による伸張状態のワンドを示す図である。
【図３】後退状態の図１のワンドを示す図である。
【図４】図３のワンドを通して切断した断面図である。
【図５】ワンドが伸張状態に錠止された時の、図１のワンドの一部を通して切断した詳細断面図である。
【図６】図５の断面に示すワンドの部品の詳細図である。
【図７】図１のワンドの別の部分を通して切断した詳細断面図である。
【図８】図１のワンドの格納チューブの錠止機構を示す図である。
【図９】図１のワンドの格納チューブの錠止機構を示す図である。
【図１０】図８及び図９の錠止機構の部品をより詳細に示す図である。
【図１１】図８〜図１０の錠止機構の別の実施形態を示す図である。
【図１２】伸張状態に錠止されたワンドの別の実施形態を示す図である。
【図１３】図１２に示す実施形態の部品をより詳細に示す図である。
【図１４】ワンドの格納チューブの錠止機構の別の実施形態を示す図である。
【図１５】ワンドの格納チューブの錠止機構の別の実施形態を示す図である。
【図１６】図１４及び図１５に示す錠止機構を具備するワンドを示す図である。
【図１７】図１４及び図１５に示す錠止機構を具備するワンドを示す図である。
【図１８】完全に後退しかつ錠止された状態の図１６及び図１７のワンドを示す図である。
【図１９】錠止状態にされたワンドのチューブをより詳細に示す図である。
【図２０】錠止状態にされたワンドのチューブをより詳細に示す図である。
【図２１】ワンド用固定機構の更に別の実施形態を示す図である
【符号の説明】
【００４９】
１０  貯蔵チューブ
１２  ハンドル
１５  固定機構、キャッチ
１６  貯蔵チューブに部分
１７  回転式継手
１８  可撓性ホース
１９  格納チューブ
２０、３０、４０  チューブ
２０´、３０´  チューブ
２２  隆起部
２５、３５  固定機構
１０２  先端
１５１  手動で操作し得る部分
１５２  突出部
１５４  切込み
１５５  環状部材
１５６  チャネル
２２０  テーパが付された部分
２３０  錠止位置切込み
２５０  リング
２５１  第１環状部分
２５２  前部面
２５４、２５５  突出部
２５６  傾斜面
２５８  円弧形状部分
２５９、４５９  アーム
２６０  シール
２６５  突出部
２６６  内面
２６７  チャネル
３１０  カラー
３１２  部分
３１４  環状部分
５９０  切込み
５９５  隆起部
７００  錠止部分
７２０  突出部
７４０  カラー
７４１  先端
７４５  リブ
７５０  ばね
【国際公開パンフレット】
2004524097.tif 000003
2004524097.tif 000004
2004524097.tif 000005
2004524097.tif 000006
2004524097.tif 000007
2004524097.tif 000008
2004524097.tif 000009
2004524097.tif 000010
2004524097.tif 000011
2004524097.tif 000012
2004524097.tif 000013
2004524097.tif 000014
2004524097.tif 000015
2004524097.tif 000016
2004524097.tif 000017
2004524097.tif 000018
2004524097.tif 000019
2004524097.tif 000020
2004524097.tif 000021
2004524097.tif 000022
2004524097.tif 000023
2004524097.tif 000024
2004524097.tif 000025
2004524097.tif 000026
2004524097.tif 000027
2004524097.tif 000028
2004524097.tif 000029
2004524097.tif 000030
2004524097.tif 000031
2004524097.tif 000032
2004524097.tif 000033
2004524097.tif 000034
2004524097.tif 000035
2004524097.tif 000036
2004524097.tif 000037
【手続補正書】
【提出日】平成15年2月22日(2003.2.22)
【手続補正１】
【補正対象書類名】特許請求の範囲
【補正対象項目名】全文
【補正方法】変更
【補正の内容】
【特許請求の範囲】
【請求項１】
家庭電気器具用ワンドであって、
互いに内部で入れ子になるように寸法づけられた複数のチューブを備え、各チューブは、自身を隣接するチューブに対する伸張位置に固定するために作動可能でありかつ隣接する前記チューブに対して自身を入れ子式に摺動可能にするように解放可能であり、前記チューブが完全に後退した位置にある時に互いに隣接して位置するように前記固定機構が配置されている家庭電気器具用ワンドにおいて、
各固定機構は、それぞれの前記チューブが後退した時に隣接する固定機構によって解放されることを特徴とする家庭電気器具用ワンド。
【請求項２】
各固定機構は、該固定機構が前記チューブを隣接するチューブに錠止する錠止位置と、該固定機構がそれぞれの前記チューブ間の運動を可能にする解錠位置との間で可動であり、それぞれの前記チューブが後退した時に１つの固定機構が他の固定機構を押圧し、もって該他方の固定機構を前記解錠位置内に動かすようになっている、請求項１に記載のワンド。
【請求項３】
前記固定機構が、使用に際して、互いに押圧し合う表面を備え、前記固定機構の運動を前記錠止位置と前記解錠位置との間で行うように、前記表面が前記ワンドの長手方向軸線に対して傾いている、請求項２に記載のワンド。
【請求項４】
各固定機構が、前記錠止位置において、隣接する前記チューブの外面に窪みを設置するように配置される突出部を備える、請求項２または請求項３に記載のワンド。
【請求項５】
前記固定機構が突出部を備え、前記突出部及びそれぞれの前記チューブが共に、前記錠止位置において、隣接する前記チューブ上のカラーを保持するように配置される空洞を画成する、請求項２、請求項３または請求項４に記載のワンド。
【請求項６】
前記突出部が前記チューブと並んで位置するアームによって担持され、前記アームが隣接する固定機構を押圧することによって可動である、請求項４または請求項５に記載のワンド。
【請求項７】
前記アームが前記チューブの周りに回動自在に取り付けられ、前記突出部が半径方向に可動である、請求項６に記載のワンド。
【請求項８】
前記チューブの周りで周方向に離隔された複数のアームがある、請求項４から請求項７までのいずれか１項に記載のワンド。
【請求項９】
少なくとも３つのアームが設けられた、請求項８に記載のワンド。
【請求項１０】
前記アームが前記チューブの周りに嵌合する支持カラーによって支持される、請求項８または請求項９に記載のワンド。
【請求項１１】
前記アーム及び前記支持カラーが、弾発的に曲げ易い材料から互いに一体的に形成される、請求項１０に記載のワンド。
【請求項１２】
各チューブが隣接するチューブに対して該チューブの回転を阻止する手段を備える、請求項１から請求項１１までのいずれか１項に記載のワンド。
【請求項１３】
前記回転阻止手段が、前記チューブに沿う軸線方向に延在する隆起部と、隣接する前記チューブの前記固定機構に沿う軸線方向に延在するチャネルと、を備える請求項１２に記載のワンド。
【請求項１４】
各チューブが隣接するチューブを密封するシールを担持する、請求項１から請求項１３までのいずれか１項に記載のワンド。
【請求項１５】
前記シールが、前記チューブの一端内に設置される、請求項１４に記載のワンド。
【請求項１６】
前記シールが、隣接する前記チューブの幅狭な端部を密封する、請求項１４または請求項１５に記載のワンド。
【請求項１７】
前記固定機構の１つが手動操作可能である、請求項１から請求項１６までのいずれか１項に記載のワンド。
【請求項１８】
手動操作可能な前記固定機構が最も幅広な前記チューブの一部を形成する、請求項１７に記載のワンド。
【請求項１９】
前記ワンドを操作するハンドルを備え、かつ手動操作可能な前記固定機構が前記ハンドル上または該ハンドルに隣接して設置される、請求項１８に記載のワンド。
【請求項２０】
前記固定機構の１つが前記ワンドを異なる伸張位置範囲の何れか１つに固定することができる、請求項１から請求項１９までのいずれか１項に記載のワンド。
【請求項２１】
前記チューブの１つが、該チューブに沿った軸線方向に延在する隆起部を備え、前記隆起部が自身の長さに沿う複数の凹みを備え、前記固定機構が前記凹みの選択された１つに着座させるためのラグを備える、請求項２０に記載のワンド。
【請求項２２】
前記チューブのうちの最も幅広なチューブが、最も幅広な該チューブ内の格納位置に前記複数のチューブを保持する手段を備える、請求項１から請求項２１までのいずれか１項に記載のワンド。
【請求項２３】
前記チューブのうちの最も幅狭なチューブがカラーを備え、かつ前記チューブのうちの最も幅広なチューブが、前記チューブが格納位置にある時に最も幅狭な前記チューブ上に前記カラーを保持するフックを備える、請求項２２に記載のワンド。
【請求項２４】
前記保持手段が、前記チューブが前記格納位置に向けて動いた時に自動的に作動される、請求項２２または請求項２３に記載のワンド。
【請求項２５】
最も幅狭な前記チューブの遠位端が、前記チューブが完全に後退した時に前記固定機構の少なくとも幾つかを収容する手段を備える、請求項１から請求項２４までのいずれか１項に記載のワンド。
【請求項２６】
前記固定機構は、前記チューブが伸張した時に隣接するチューブに対する伸張位置にそれぞれの該チューブを自動的に固定するようにも配置される、請求項１から請求項２５までのいずれか１項に記載のワンド
【請求項２７】
各固定機構は、錠止位置内に可動な突出部を備え、この錠止位置では前記突出部は隣接する前記チューブの外面の窪みに位置する、請求項２６に記載のワンド。
【請求項２８】
各固定機構は突出部を備え、各隣接するチューブは自身の端部に隣接して直径が増すカラーを備え、前記チューブ及び前記固定機構は隣接する前記チューブのカラーを受容するための空洞を画成し、前記突出部は、前記チューブが互いに対する伸張位置内に動いた時に前記カラーによって一時的に移動可能であり、もって前記空洞内に前記カラーを収容かつ保持するようになっている、請求項２６または請求項２７に記載のワンド。
【請求項２９】
前記固定機構又は前記チューブが、該チューブが伸張位置にもたらされた時に前記固定機構を一時的に動かすことができる傾斜面を備える、請求項２６から請求項２８までのいずれか１項に記載のワンド。
【請求項３０】
前記固定機構が、それぞれの前記チューブの外壁に設置される、請求項１から請求項２９までのいずれか１項に記載のワンド。
【請求項３１】
添付図面を参照して実質的に記載した家庭電気器具のためのワンド。
【請求項３２】
真空掃除機用清掃ワンドの形態をした、請求項１から請求項３１までのいずれか１項に記載のワンド。
【請求項３３】
請求項１から請求項３２までのいずれか１項に記載のワンドを組み込んだ家庭電気器具。
【手続補正２】
【補正対象書類名】明細書
【補正対象項目名】全文
【補正方法】変更
【補正の内容】
【発明の詳細な説明】
【技術分野】
【０００１】
本発明は、家庭電気器具用入れ子式ワンド組立体に関する。ワンド組立体は、特に、しかし排他的ではなく、真空掃除機用として有用である。
【背景技術】
【０００２】
シリンダ式真空掃除機は、一般に、使用者によって引っ張られる主掃除機本体を備える。主本体は、空気流から塵及び埃を分離するための分離装置を含む。空気流は、ホースと、使用者によって操作されるワンド組立体とによって主本体に導かれる。清掃道具は、通常、ワンドの遠位端に取り付けられる。ホース及びワンド組立体は、掃除機及び堅固なワンドの主本体に取り付けられる可撓性ホースの長さを備える。ワンドは典型的には互いに入れ子式に連結される２つのチューブを備える。チューブのうちの１つはハンドルに堅固に連結され、他のチューブがこのチューブ内に入れ子になっている。錠止装置又はラチェット機構の幾つかには、２つのチューブを互いに対して特定位置に固定するために設けられる。このように、ワンドの全長は、使用者の物理的寸法（背の高さ又は腕の長さ）に適するように構成される。このタイプのワンドの実例は従来技術文献に示されている（例えば、特許文献１参照）。
【特許文献１】
米国特許第３、０８３、０４１号明細書
【発明の開示】
【発明が解決しようとする課題】
【０００３】
真空掃除機をより都合よく格納し得るように、この真空掃除機をよりコンパクトに作る傾向がある。コンパクトな掃除機本体を具備する多くの掃除機の実例があるが、これらの掃除機のほとんどは、掃除機が不要な期間の間に格納することが難しい、嵩張った２段式ワンドを依然として備えている。包装の観点から、ワンドの寸法は、しばしば、製品を出荷するに要する箱の最小寸法を規定する。
【０００４】
ワンドに３つの段を設けることが知られている。より多くの段を設けることによって、ワンドが完全に折り畳まれた時のワンドの全長は２段式ワンドを具備するものより、より短くなる。しかしながら、ワンドに３以上の段を設けることは、使用者に対するワンドの複雑さを増す。特に、使用に際してワンドを伸張しかつ格納に際してワンドを後退させるのはより時間を浪費しかつ当惑させるものとなり得る。
【０００５】
本発明は、操作するのにより好都合な入れ子式ワンド組立体を提供することを目的としている。
【課題を解決するための手段】
【０００６】
従って、本発明の第１実施態様は、家庭電気器具用ワンドであって、互いに内部で入れ子になるように寸法づけられた複数のチューブであって、各チューブが、自身を別のチューブに対して伸張位置に固定するための固定機構と関連しており、前記チューブが後退した時に１つの固定機構が別の固定機構を解放するように前記固定機構が配置されている、複数のチューブを備える家庭電気器具用ワンドを提供する。
【０００７】
互いに作動する固定機構を設けることによって、使用者は、ワンドを折り畳むために各個別の固定機構を別個に操作する必要はない。このように、そのようなワンドが通常は使用者に与えるであろう更なる複雑さが無く、全長が短いワンドを後退可能にする、かなり多数の段をワンドに設け得る。
【０００８】
好ましくは、各固定機構は、自身が隣接するチューブと関連するチューブを錠止する錠止位置と、自身が前記チューブ間での運動を可能にする解錠位置との間で移動可能である。チューブが後退した時に一方の固定機構が他方の固定機構を押圧して、該他方の固定機構を解錠させるように、隣接する固定機構は、自身のそれぞれのチューブ上に位置づけられる。かくして、コスト及び複雑性に関して不都合な水準となるであろう、固定機構を互いにリンクする必要はない。むしろ、固定機構は、互いに機械的に単純であり従って信頼し得る態様で互いに動作する。
【０００９】
好ましくは、各固定機構は、錠止すべきチューブの外面の窪みに位置する突出部を備える。この窪みは、チューブを形削りすることによって、又は内側チューブの壁に開口を形成することによって形成し得る。この突出部は、チューブに並んで位置するアームによって担持し得る。
【００１０】
好ましくは、これらのアームは、チューブの周りに回動自在に取り付けられる。これは、突出部を半径方向に移動させる。アームの回動取付はアームを弾発的に曲げ易い材料（例えば、ナイロン）から作ることによって、あるいはチューブの周りを回動し得る分離部分として各アームを設けることによって達成し得る。
【００１１】
好ましくは、使用に際して、互いに押圧し合う固定機構の表面はワンドの長手方向軸線に対して傾いており、これにより、固定機構の運動を行うようになっている。
【００１２】
ワンドの固定機構は、ワンドが、使用者がチューブを伸張位置に固定するのに別々に各固定機構を操作する必要のない伸張位置にもたらされる時に該伸張位置にワンドのチューブを自動的に固定すべきことも望まれる。
【００１３】
これはチューブの端部に隣接して直径が増すカラーを設けることによって達成し得る。固定機構上の突出部は、使用に際して、固定機構及びチューブによって画成される空洞内にカラーを収容かつ保持するように、カラーによって一時的に移動可能になっている。あるいは、突出部は、チューブが伸張位置にもたらされる時に内側チューブの窪みにそれ自体単に着座し得る。この窪みは、チューブを形削りするか又は内側チューブの壁に開口を形成することによって形成し得る。
【００１４】
好ましくは、ワンドは互いに対するチューブの回転を阻止する手段を組み込んでいる。このように、使用に際して、使用者は、ワンドの遠位端にある道具の位置を制御することができる。これは、チューブに沿って軸線方向に延在する隆起部と、各固定機構に沿って軸線方向に延在するチャネルとを設けることによって達成し得る。
【００１５】
好ましくは、固定機構の１つは、手動で操作可能である。手動操作制御装置は、チューブのうちの最も幅広なチューブ、すなわち、ワンドが完全に後退した時に他のチューブの全てを収容するチューブに設け得る。都合よくは、制御装置は、ワンドを主動操作するためのハンドルに、又は、該ハンドルに隣接して設置し得る
【００１６】
好ましくは、チューブのうちの１つは、このチューブの別のチューブに対する複数の別様の錠止位置を備える。これは、使用者がこれら自体の物理的要求事項を調節するためにワンドの全長を調節することを可能にする。
【００１７】
好ましくは、チューブのうちの最も幅広なチューブは、最も幅広なチューブ内の格納位置に複数のチューブを保持するための手段を備える。これは、チューブが格納される時に最も幅狭なチューブ上のカラーを保持するためのフックの形態を取り得る。フックは、チューブが格納位置内に動く時に自動的に作動し得る。
【００１８】
好ましくは、最も幅狭なチューブの遠位端は、チューブが完全に後退した時に固定手段の少なくとも幾つかを収容する手段を備える。これは、固定機構を収容するキャップの形態を取り得る。
【００１９】
本発明の更なる態様は、家庭電気器具用ワンドであって、互いに内部で入れ子になるように寸法づけられた複数のチューブを備え、各チューブが、自身を別のチューブに対して伸張位置に固定するための固定機構と関連しており、各固定機構が、前記チューブが伸張した時に、チューブを伸張位置に自動的に固定するように前記固定機構が配置されている。かくして、使用者はチューブを伸張位置に固定するために各固定機構を個々に操作する必要はない。
【００２０】
本発明の更なる態様は、家庭用電気器具ワンドであって、互いに内部で入れ子になるように寸法づけられた複数のチューブ、及び複数のチューブを最も幅広なチューブ内の格納位置に保持するようにチューブのうちの最も幅広なチューブがチューブのうちの最も幅狭なチューブと協働する保持手段を備える。通常は、２つのチューブ式ワンドの錠止装置は、２つのチューブを互いに対する何れの位置にも錠止可能にする。複数のチューブを格納位置に保持する最も幅広なチューブに保持手段を設けることは、単純な固定機構、すなわち、チューブが完全に伸張した時にチューブを錠止する必要があるのみの固定機構をチューブの各々に使用可能にする。保持手段は、格納位置にある全てのチューブを保持する機能を助長する。
【００２１】
好ましくは、チュ−ブのうちの最も幅狭なチューブはカラーを備え、かつチューブのうちの最も幅広なチューブは、チューブが格納される時に最も幅狭なチューブ上にカラーを保持するためのフックを具備する錠止機構を備える。
【００２２】
好ましくは、保持手段は、使用者が保持手段を操作する必要がないように、チューブが格納位置に向けて動く時に自動的に作動する。
【００２３】
好ましくは、各チューブはチューブを別のチューブに対して伸張位置に固定するための固定装置と関連し、最も幅狭なチューブの遠位端は、チューブが完全に後退する時に固定機構の少なくとも幾つかを収容するための手段を備える。これは、格納の間に固定手段が損傷しないように保護する。固定手段は、固定機構を収容するための空洞を画成する長手方向に延在する壁を具備するキャップを備え得る。
【００２４】
本発明のこれらの更なる態様は本発明の他の態様の記載／特許請求の範囲の特徴的構成の何れかと組合わせ得ることが理解される。
【００２５】
これらの装置はシリンダー又はキャニスタータイプの掃除機に対して特に有用である。しかしながら、これらは、カーペットクリーニング機械のような、概して真空掃除機の他のタイプ又は他の家庭電気器具に使用し得る。
【発明を実施するための最良の形態】
【００２６】
本発明の実施形態を添付図面を参照して説明する。
【００２７】
図１から図４までに示すワンドは、３つの別個のチューブ２０、３０、４０を備える。これらのチューブは、内部で互いに入れ子にし得るように直径が漸次減少する。３つのチューブは、格納チューブ１０に後退可能に収容される。ハンドル１２は、使用者がワンドを操作可能にすべく格納チューブ１０に連結される。可撓性ホース１８は、格納チューブ１０の部分１６から延在しかつ回転式継手１７によってこの部分に連結される。
【００２８】
チューブ２０、３０、４０は内部で互いに摺動自在であり、かつ（図３及び図４に示すような）格納位置と、（図１及び図２に示すような）伸張位置との間で動き得る。チューブの端部のみが別のチューブに重なるように、１つのチューブが別のチューブから伸張される。図４は、格納チューブ１０内の完全に後退した位置にあるチューブを示す図３の線Ａ−Ａに沿った横断面図である。チューブ２０、３０、４０は、直径が漸次狭まり、長さが漸次長くなる。各チューブの長さは、固定機構２５、３５が互いに並んで置かれている時に、該各チューブが格納チューブ１０の有効長を十分に占有するように選択される。
【００２９】
チューブ４０の遠位端は何れかの周知の態様で、床道具（図示せず）を受容するように構成される。例えば、床ツールは、締まり嵌め、相互連結差込み嵌合、スナップ嵌合連結、ねじ山カラー及びスリーブによって、あるいは何れか他の適切な手段によって、チューブ４０に連結し得る。アクセサリーツールも床道具の代わりにチューブ４０に取り付け得る。
【００３０】
固定機構１５、２５、３５は、チューブが図１及び図２に示す伸張位置にある時に必要とされる、該チューブを互いに錠止するか、あるいは、チューブが図３及び図４に示す格納位置内に後退した時に必要とされる、該チューブの互いに対する自由運動を可能にすることができる。チューブ２０を格納チューブ１０に固定するために、固定機構１５が格納チューブ１０に設けられる。チューブ２０をチューブ３０に固定するために別の固定機構２５が該チューブ２０の遠位端に設けられる。チューブ３０をチューブ４０に固定するために更なる固定機構３５が該チューブ３０の遠位端に設けられる。
【００３１】
図５は、チューブ２０上の固定機構２５をより詳細に示し、図６は、固定機構２５及びチューブ２０の端部の別の視図を示す。チューブ３０上の固定機構３５は同じ態様で働く。固定機構２５は、チューブ２０の外部周りに嵌合するリング２５０を備える。リング２５０の第１環状部分２５１は、チューブ２０の端部から前向きに突出し、かつチューブ２０自体の直径より狭い直径を有する開口を形成する。これは、リング２５０がチューブ２０に対する固定位置に留まることを可能にする。環状部分２５１の開口の直径は、チューブ２０の直径より狭いが、チューブ３０を受容するには十分な大きさである。第１環状部分２５１は傾斜した前部面２５２を備える。第１環状部分２５１の軸線方向後部には、第２環状部分２５３がある。第２環状部分２５３は、第１環状部分２５１に連結され、かつ該第１環状部分から後向きに軸線方向に延在する複数のアーム（図６では全体的に２５９として示されている）を備える。各アーム２５９間には、チューブ２０の外面に沿って嵌合する円弧形状部分２５８がある。円弧形状部分２５８も、第１環状部分２５１に連結されかつアーム２５９より短い距離に対して軸線方向に後向きに延在する。円弧形状部分２５８及びアーム２５９は、狭いギャップ２５７によって周方向に分離される。３つのアーム２５９が示されており、これは好ましい最小数であることが分かっているが、他の数のアーム２５９も設け得る。
【００３２】
固定機構２５は、更に１組の突出部２６５も備える。これらは、チューブ２０上の対応する開口２６４に位置する形状構成物(features)を保持している。チューブ３０の端部はカラー３１０を備えて成り、このカラーは自身の左までのチューブ３０の残部に比較して拡大した直径を有する。カラー３１０は、図５に示すように、チューブ３０を形削りすることによって、チューブの厚さを増加させることによって、あるいはカラーが必要とされる場所におけるチューブの周りに付加的なリング材料を固定することによって、形成し得る。別のチューブを密封するために、各チューブにはシール２６０が設けられる。シール２６０は、チューブ３０の一端に設置されかつチューブの内面に固定される。シール２６０は、適所に接合又は留めることができる。チューブ３０の最後部の環状部分３１２は、カラー３１０と同じ直径を有するものとして示されている。部分３１２は、チューブ２０の隣接壁を押圧しかつチューブを安定化するように働き、及び部分３１２はシール２６０をチューブ２０の内壁に支持可能にもするから、これは好ましい。しかしながら、環状部分３１２はチューブ３０の残部と同じ直径を有し得る。
アーム２５９の各々は、チューブ２０の壁にある開口２６３を貫通して延在する半径方向内向きに延在する突出部２５４を備える。チューブ２０、３０が図示するような錠止位置にあると、突出部２５４はチューブ２０、３０を一緒に錠止するように、チューブ３０に形成された窪み３１４にも位置する。アーム２５９は、傾斜した面２５６を具備する半径方向外向きに延在する部分２５５も備える。固定機構は、突出部２５４と共にアーム２５９が外向きに屈曲しかつ破断せずに図示した位置へ戻ることを可能にするには十分に弾発的である材料から作られる。カラー３１０は、自身が環状部分２５１と突出部２５４の間で捕捉されると、チューブ２０内にチューブ３０を保持する働きをする。環状部分３１４はカラー３１０より狭い直径を備えており、固定機構の突出部２５４を受容するために窪み３１４を形成する。チューブ２０、３０を解放するために、アーム２５９は環状部分２５１周りに回動して半径方向外向きに屈曲する。これは、突出部３１４をチューブ内の窪み３１４及びカラー３１０の外側から解放する。万一これが必要ならば、各アーム２５９の内面２６６はアームが使用者によって容易に把持されることを可能にする凹面プロファイルを備える。
【００３３】
シール２６０は、このシールがより大きなチューブ２０の内面に密封することができるように、チューブの端部を越えて軸線方向及び半径方向に延在する。チューブ２０の軸線方向のいちばん端の部分は、シール２６０がチューブ２０の内面に上手く嵌合することができるように、チューブの残部より狭い直径を有する。狭い端部直径への直径遷移は、チューブの部分２２０として示されている。
【００３４】
図７〜図９は、格納チューブ１０の固定機構をより詳細に示す。簡易化のために、解放キャッチ１５及びチューブ２０（キャッチ１５が作用するチューブ）のみを示す。解放キャッチ１５は、格納チューブ１０の壁を越えて突出しかつキャッチを解放するために手動で操作し得る部分１５１を具備するリング形状部材１５５を備える。解放キャッチ１５は、該キャッチがチューブ１０の長手方向軸線に直角な平面内で動き得るように、チューブ１０（図示せず）によって支持される。キャッチ１５の作動部分はリング状部材１５５から半径方向内向きに延在する突出部１５２である。図９に示すように、チューブ２０が格納チューブ１０から完全に引き抜かれると、突出部１５２はチューブ２０の外面に形成されたチャネル１５６に位置し、かつチューブをこの伸張位置に錠止する働きをする。突出部１５２の切込み１５４はチューブ２０上に位置する隆起部２２を収容しかつチューブ１０、２０が互いに対して捩れないように阻止する働きをする。格納チューブ１０の最前部は、傾斜面１０２と、チューブ１０及び（上述したカラー３１０と類似した）チューブ２０上に位置するカラー１１０の両方よりも狭い直径とを備える。かくして、カラー１１０は格納チューブ１０から引き抜くことができない。傾斜面１０２は、以下により詳細に説明するように、チューブが潰れた時に固定機構２５を解錠する働きをする。シール２１０は、チューブ１０を収容するためにチューブ２０を密封する。
【００３５】
好ましくは、チューブは互いに対して捩じるべきではない。上述したように、軸線方向に延在する隆起部２２が各チューブ２０、３０、４０の外面に沿って設けられる。各固定機構は、隆起部を収容し得るチャネル（２６７、図６）を備える。使用に際して、チューブが互いに対して摺動するがチャネル２６７がチューブ間の何れの回転運動をも阻止するとき、隆起部２２はチャネル２６７内で摺動する。隆起部２２はそれぞれのチューブと同時に押出し品として形成し得る。
【００３６】
肉体的な寸法（背の高さ、腕の長さ）が異なる使用者が快適にワンドを使用し得るように、異なる全長長さに亘る範囲でワンドを調節し得ることが好ましい。この要求を満たすために、最上部のチューブ２０には、図１１に示すような、複数の別の錠止位置２３０が設けられている。都合よくは、これらの錠止位置は、チューブ２０の長さに沿って延びる隆起部２２の切込み２３０として設けられる。そのような実施形態では、解放キャッチ１５は、図１０に示すような切込み１５４を備えていない。代わりに、突出部１５２は、これらの錠止位置切込み２３０の１つに位置することができるように連続している。これは、チューブ２０が格納チューブ１０に対して幾つかの異なる位置の何れか１つに錠止されることを可能にする。
【００３７】
これらのチューブ１０、２０、３０、４０は、スチール又はアルミニウムのような金属、あるいは硬いプラスチック材料でさえからも作り得る。これらのチューブは一定厚さの材料から作ることが好ましく、上述した隆起部及びチャネルはこれらのチューブを形削りすることによって形成される。これは、最終製品の重量を最小化する利点を有する。
【００３８】
上述した実施形態では、固定機構１５、２５、３５はナイロン複合物のような弾発的な可撓性材料から作られる。しかしながら、アーム２５９の等価な回動運動は、各アーム２５９を別個の部分として製造しかつ各アーム２５９と、固定機構２５の残部との間にピボットを設けることによって達成し得る。アーム２５９の弾発性は、アームとチューブ、あるいはアームと固定機構の固定部分との間にばねを取り付けることによって達成し得る。
【００３９】
上述した実施形態はチューブから分離した部分として固定機構２５、３５を示すが、固定機構はチューブと一体に製造し得る。プラスチック固定機構は、金属製チューブの周りにモールド成形し得る（あるいは別様に形成し得る）。あるいは、プラスチック製固定機構は、プラスチックチューブとモールド成形し得る（あるいは別様に形成し得る）。
【００４０】
ここで、ワンドの動作を説明する。ワンドを伸張するために、使用者はハンドル１２によって格納チューブ１０を保持しかつ最も狭いチューブ４０を格納チューブ１０から離して軸線方向に引っ張る。チューブ２０、３０、４０の各々は、チューブ１０から外向きに摺動する。チューブが格納チューブ１０から摺動して出る程度は、隣接するチューブ／固定機構間に存在する摩擦の量によって決定されるから重要ではない。各チューブが別のチューブに対して伸張位置に到達する時（例えば、チューブ３０が図５に示す位置に向けてチューブ２０に対して摺動する時）、チューブ２０、３０は自動的にこの伸張位置に錠止する。図５を参照すると、固定機構２５の突出部２５４は、傾斜面２５６がチューブ３０のカラー３１０上に載るように半径方向外向きに押し込まれる。突出部２５４は、この時、それ自体、チューブ３０内の窪み３１４に着座する。チューブ３０は、カラー３１０に当接する固定機構の環状部分２５１によって更に外向きに摺動することが阻止される。チューブ３０のカラー３１０は、ここで、環状部分２５１及び突出部２５４の垂直面間にしっかりと保持されるので、長手方向の何れにも動くことができない。かくして、チューブ３０は、ここで、チューブ２０に対して錠止される。シール２６０は、チューブ２０の内向きにテーパが付された部分２２０を密封する。チューブ４０は、自身が完全な伸張位置に到達した時に、類似の態様でチューブ３０に対して錠止する。一旦、チューブが全て錠止し合うと、ワンドは使う準備が整っている。チューブの各々は、使用者が各チューブに固定機構を別個に作動させる必要無く自動的な態様にて伸張位置で噛み合うことが理解される。
【００４１】
ワンドを折り畳む手順をここに説明する。使用者は、最初に、格納チューブ１０のキャッチ１５を解放する。これは、キャッチをチューブ２０から解放する。使用者はチューブ４０の遠位端をチューブ１０に向けて軸線方向に動かす。これは、チューブ２０を格納チューブ１０内で摺動させる。一旦、チューブ２０が格納チューブ１０内に完全に後退すると、固定機構２５は（図７に示すように）格納チューブ１０の先端１０２を押し込み、かつ固定機構２５のアーム２５９を半径方向外向きに曲げさせ、かくして、チューブ２０からチューブ３０を解錠する。チューブ３０は、この時、固定機構３５が固定機構２５を押圧するまでチューブ２０内に後退可能である。上述したように、これは、チューブ４０をチューブ３０から解錠するために固定機構３５のアームを半径方向外向きに曲げさせる。使用者がチューブ４０を押し続けると、チューブ４０はチューブ３０内に後退可能であり、かくして、ワンドは完全に後退する。完全なワンドの後退は、使用者が各固定機構２５、３５を別個に操作する必要無く、１つの連続した素早い動きを行うことができる。
【００４２】
図１２及び図１３は、図５及び図６に示す実施形態と類似の図を使ってワンドの別の実施形態を示す。上述したように、チューブ２０′及び３０′はワンドの２つの隣接する段を表す。この実施形態における主な差異は、図５のチューブ３０のカラー３１０がチューブ３０´の一部を構成する傾斜面４７０で置き変えられてることと、図５の突出部２５４が、自身の側部上の傾斜面２５６というよりもむしろ各側部上で真っ直ぐに半径方向に延在する面を具備する突出部４５４によって置き換えられていることである。この別様の装置は、チューブ３０′が錠止位置に向けて伸張される時、突出部４５４が半径方向外向きに動くという点で、上述の実施形態と同じ機能を達成する。ここで、突出部４５４と協働するチューブ３０′の傾斜面４７０によって動きがなされる。図１９及び図２０は、２つの実施形態をより詳細に比較している。
【００４３】
図１２に示す実施形態には幾つかの他の差異がある。チューブ３０′は、チューブの外面に、形作られた窪みというよりはむしろ該チューブに型押しされた開口４１４を備える。これは、製造するのが単純であることが分かっている。チューブ３０′がここで自身の外壁に開口を有するという事実を補償するために、シール４６０が長手方向でチューブ３０′内に更に延在する。シール４６０の最も内側の部分はチューブ３０′の傾斜面４７０の内壁の両方に当接し、シール４６０の最も外側の部分４６２はチューブ２０′の内壁に当接する。使用に際して、突出部４５４は、チューブが錠止される時には、それ自体で開口４１４に着座する。何れかの長手方向のチューブ３０′の動きは、突出部４５４の半径方向面によって阻止される。この装置構成は、前述した装置構成と比較して、チューブが錠止される時により確実であることを使用者に示すことが分かっている。
【００４４】
図１４及び図１５は、この実施形態では１０′として示される格納チューブ１０のための別の錠止機構５００を示す。図１４は、格納チューブ１０′に対する伸張かつ錠止位置にある最も幅の広いチューブ２０′を示す。錠止機構５００は、アクチュエータ部材５１０及び錠止レバー５６０を備える。アクチュエータ部材５１０は、ピボット５２０の周りで格納チューブ１０′に回動自在に取り付けられる。錠止レバー５６０は、ピボット５４０の周りで格納チューブ１０′の別の部分に回動自在に取り付けられる。アクチュエータ部材５１０は、錠止レバー５６０の傾斜面５３５を押圧するリブ５１５を担持する。使用に際して、５８０で示す方向へのアクチュエータ部材５１０の動きは、錠止レバー５６０を５８５で示す方向に上昇又は下降させつつ、リブ５１５を傾斜面５３５に沿って載るようにさせる。錠止レバー５６０の突出部５３０は、チューブ２０′の位置を錠止するために該チューブ２０′の壁の窪み５９０に着座する。アクチュエータ部材５１０を作動させると、突出部５３０を自身の着座位置から上昇可能にし、かくしてチューブ２０′を後退可能にする。錠止レバー５３０は、チューブ４０′の遠位端にあるキャップ６００上にカラー６１０を保持し得るフック５５０も担持する（図１６及び図１７を参照）。全てのチューブが格納チューブ１０′内に後退する時、キャップ６００は格納チューブ１０′の端部に並んで位置し、かつフック５５０はカラー６１０上に係合し得る。アクチュエータ５１０が作動してフック５５０を解放するまで、全てのチューブ２０′、３０′、４０′はこのように格納チューブ１０′内にしっかりと保持される。フック５５０の先端は、チューブが格納チューブ１０′内部に後退される時にカラー６１０によって移動し得る傾斜面５５１を備える。これは、チューブが（図１８に示す）収納位置に向けて動く時に、フック５５０が自動的にカラー５１０上に載り、こうしてキャップ６００を保持することを可能にする。カラー６１０は、分離取付具６００の一部としてよりはむしろチューブ４０′の一部として設け得ることが分かる。格納位置では、キャップ６００は他の段の固定機構の全てを収容し、かくして格納の間にこれらのチューブを保護する働きをする。
【００４５】
ここに記載した錠止装置は、チューブ２０′が種々の伸張位置で錠止されることを可能とするように、図１１に正に示す装置と同じ態様で働き得る。最上部のチューブ２０′には、図１４に５９０として示すタイプの１組の錠止窪みが設けられる。これらの錠止位置は、チューブ２０′の長さに沿って延びる隆起部５９５内の更なる切込み５９０として設け得る。
【００４６】
図２１は、チューブ用固定機構のための更なる別の実施形態を示す。ここでは、前述の実施形態のアーム２５９、４５９が、半径方向に移動可能な錠止部分７００によって置き換えられている。錠止部分７００は、チューブ２０′の周りに嵌合するリング７４０の後向きに延在するリブ７４５によって保持される。ばね７５０は、リブ７４５と錠止部分７００との間で作用しかつチューブ３０′に向けて錠止部分７００を偏倚させる働きをする。この実施形態は前述した実施形態と同じ態様で働き、使用者による手動操作が無くても錠止位置及び解錠位置の両方を自動的に推定する。使用に際して、１つの錠止機構上のカラー７４０の傾斜した先端７４１は、チューブを自動的に解錠するように隣接する錠止機構の傾斜面を押圧する。錠止部分７００は四角い突出部７２０を具備して示されているが、この錠止部分は図１９に示すタイプの傾斜面を備え得る。
【００４７】
図面に示したワンドは、格納チューブに加えて、３つの別個なチューブ又は段を備えるが、このワンドは２段のみ又は３段以上の多数の段を備え得ることが分かる。各付加段は、図示した実施形態の２５、３５として示される固定機構と同じタイプの固定機構を備える。ハンドルは収納チューブの一部として示してきたが、ハンドルは、図１に示す部分１６に代わって、収納チューブの遠位端の内側に嵌合するエルボ形状のパイプとし得る。
【図面の簡単な説明】
【００４８】
【図１】本発明による伸張状態のワンドを示す図である。
【図２】本発明による伸張状態のワンドを示す図である。
【図３】後退状態の図１のワンドを示す図である。
【図４】図３のワンドを通して切断した断面図である。
【図５】ワンドが伸張状態に錠止された時の、図１のワンドの一部を通して切断した詳細断面図である。
【図６】図５の断面に示すワンドの部品の詳細図である。
【図７】図１のワンドの別の部分を通して切断した詳細断面図である。
【図８】図１のワンドの格納チューブの錠止機構を示す図である。
【図９】図１のワンドの格納チューブの錠止機構を示す図である。
【図１０】図８及び図９の錠止機構の部品をより詳細に示す図である。
【図１１】図８〜図１０の錠止機構の別の実施形態を示す図である。
【図１２】伸張状態に錠止されたワンドの別の実施形態を示す図である。
【図１３】図１２に示す実施形態の部品をより詳細に示す図である。
【図１４】ワンドの格納チューブの錠止機構の別の実施形態を示す図である。
【図１５】ワンドの格納チューブの錠止機構の別の実施形態を示す図である。
【図１６】図１４及び図１５に示す錠止機構を具備するワンドを示す図である。
【図１７】図１４及び図１５に示す錠止機構を具備するワンドを示す図である。
【図１８】完全に後退しかつ錠止された状態の図１６及び図１７のワンドの一部を示す図である。
【図１９】錠止状態にされたワンドのチューブをより詳細に示す図である。
【図２０】錠止状態にされたワンドのチューブをより詳細に示す図である。
【図２１】ワンド用固定機構の更に別の実施形態を示す図である
【符号の説明】
【００４９】
１０  貯蔵チューブ
１２  ハンドル
１５  固定機構、キャッチ
１６  貯蔵チューブに部分
１７  回転式継手
１８  可撓性ホース
１９  格納チューブ
２０、３０、４０  チューブ
２０´、３０´  チューブ
２２  隆起部
２５、３５  固定機構
１０２  先端
１５１  手動で操作し得る部分
１５２  突出部
１５４  切込み
１５５  環状部材
１５６  チャネル
２２０  テーパが付された部分
２３０  錠止位置切込み
２５０  リング
２５１  第１環状部分
２５２  前部面
２５４、２５５  突出部
２５６  傾斜面
２５８  円弧形状部分
２５９、４５９  アーム
２６０  シール
２６５  突出部
２６６  内面
２６７  チャネル
３１０  カラー
３１２  部分
３１４  環状部分
５９０  切込み
５９５  隆起部
７００  錠止部分
７２０  突出部
７４０  カラー
７４１  先端
７４５  リブ
７５０  ばね




【国際調査報告】
2004524097.tif 000038
2004524097.tif 000039
2004524097.tif 000040
2004524097.tif 000041